【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
文字修飾された文書を含む記録媒体をページ毎に読取った後、画像データへ変換する入力部と、
前記入力部によって変換された画像データに文字修飾がされた文字列を記憶する隠蔽候補情報記憶部と、
前記隠蔽候補情報記憶部によって記憶した文字列と一致する前記入力部によって入力した画像データに含まれる文字列を検索する検索部と、
前記検索部によって検索した文字列を隠蔽して前記画像データを確定済画像データとして生成する画像データ生成部と、
前記確定済み画像データを表示する表示部と、
を備えることを特徴とする画像形成装置。
【請求項２】
前記隠蔽候補情報記憶部に記憶された文字列を表示する隠蔽候補一覧表示部と、
前記隠蔽候補一覧表示部に表示された文字列の選択を受付ける選択部と、
前記検索部は、前記選択部によって選択された文字列に一致する前記入力部によって入力した画像データに含まれる文字列を検索することを特徴とする請求項１に記載の画像形成装置。
【請求項３】
前記表示部によって表示された確定済み画像データの隠蔽された文字列を指定して隠蔽をリセットすることで確定済み画像データを生成する第一のリセット部を備えたことを特徴とする請求項１または２に記載の画像形成装置。
【請求項４】
前記表示部によって表示された確定済み画像データの隠蔽された文字列を指定して、当該指定された文字列に一致する他の文字列の隠蔽をリセットすることで確定済み画像データを生成する第二のリセット部を備えたことを特徴とする請求項１乃至３の何れか１項に記載の画像形成装置。
【請求項５】
前記表示部によって表示された前記確定済み画像データの隠蔽された全ての文字列の隠蔽をリセットすることで確定済み画像データを生成する第三のリセット部を備えたことを特徴とする請求項１乃至４の何れか１項に記載の画像形成装置。
【請求項６】
前記表示部によって表示された確定済み画像データの印刷を出力制御する出力部を備えたことを特徴とする請求項１乃至５の何れか1項に記載の画像形成装置。
【請求項７】
画像形成装置における画像形成方法であって、
前記画像形成装置の入力部が、文字修飾された文書を含む記録媒体をページ毎に読取った後、画像データへ変換する入力ステップ、
前記画像形成装置の隠蔽候補情報記憶部が、前記入力ステップによって変換された画像データに文字修飾がされた文字列を記憶する隠蔽候補情報記憶ステップ、
前記画像形成装置の検索部が、前記隠蔽候補情報記憶部によって記憶した文字列と一致する一致する前記入力ステップによって入力した画像データに含まれる文字列を検索する検索ステップ、
前記画像形成装置の画像データ生成部が、前記検索ステップによって検索した文字列を隠蔽して前記画像データを確定済画像データとして生成する画像データ生成ステップ、
前記画像形成装置の表示部が、前記確定済み画像データを表示する表示ステップ、
を含むことを特徴とする画像形成方法。
【請求項８】
画像形成装置で読取り実行可能なプログラムであって、
前記画像形成装置を、
文字修飾された文書を含む記録媒体をページ毎に読取った後、画像データへ変換する入力手段と、
前記入力手段によって変換された画像データに文字修飾がされた文字列を記憶する隠蔽候補情報記憶手段と、
前記隠蔽候補情報記憶手段によって記憶した文字列に一致する前記入力手段によって入力した画像データに含まれる文字列を検索する検索手段と、
前記検索手段によって検索した文字列を隠蔽して前記画像データを確定済画像データとして生成する画像データ生成手段と、
前記確定済み画像データを表示する表示手段と、
して機能させること特徴とするプログラム。
【請求項９】
請求項８に記載されたプログラムを記録したコンピュータ読取り可能な記録媒体。
【手続補正２】
【補正対象書類名】明細書
【補正対象項目名】発明の名称
【補正方法】変更
【補正の内容】
【発明の名称】画像形成装置、画像形成方法、プログラム、プログラムを記憶した記憶媒体
【手続補正３】
【補正対象書類名】明細書
【補正対象項目名】００１２
【補正方法】変更
【補正の内容】
【００１２】
本発明は上記の課題を解決する為になされたものであり、特定文字書式で文字修飾された文字列を隠蔽すると共に、特定文字書式で文字修飾された文字列と同一の文字列も隠蔽するので、ユーザが、セキュリティーの向上を図るために、効率的に隠蔽作業を行うことが可能な画像形成装置、画像形成方法、プログラム、及び記録媒体を提供することを目的とする。
【手続補正４】
【補正対象書類名】明細書
【補正対象項目名】００１３
【補正方法】変更
【補正の内容】
【００１３】
前述した目的を達成するための第一の発明は、文字修飾された文書を含む記録媒体をページ毎に読取った後、画像データへ変換する入力部と、前記入力部によって変換された画像データに文字修飾がされた文字列を記憶する隠蔽候補情報記憶部と、前記隠蔽候補情報記憶部によって記憶した文字列と一致する前記入力部によって入力した画像データに含まれる文字列を検索する検索部と、前記検索部によって検索した文字列を隠蔽して前記画像データを確定済画像データとして生成する画像データ生成部と、前記確定済み画像データを表示する表示部と、を備えることを特徴とする画像形成装置である。
【手続補正５】
【補正対象書類名】明細書
【補正対象項目名】００１４
【補正方法】変更
【補正の内容】
【００１４】
前述した目的を達成するための第二の発明は、画像形成装置における画像形成方法であって、前記画像形成装置の入力部が、文字修飾された文書を含む記録媒体をページ毎に読取った後、画像データへ変換する入力ステップ、前記画像形成装置の隠蔽候補情報記憶部が、前記入力ステップによって変換された画像データに文字修飾がされた文字列を記憶する隠蔽候補情報記憶ステップ、前記画像形成装置の検索部が、前記隠蔽候補情報記憶部によって記憶した文字列と一致する一致する前記入力ステップによって入力した画像データに含まれる文字列を検索する検索ステップ、前記画像形成装置の画像データ生成部が、前記検索ステップによって検索した文字列を隠蔽して前記画像データを確定済画像データとして生成する画像データ生成ステップ、前記画像形成装置の表示部が、前記確定済み画像データを表示する表示ステップ、を含むことを特徴とする画像形成方法である。
【手続補正６】
【補正対象書類名】明細書
【補正対象項目名】００１５
【補正方法】変更
【補正の内容】
【００１５】
前述した目的を達成するための第三の発明は、画像形成装置で読取り実行可能なプログラムであって、前記画像形成装置を、文字修飾された文書を含む記録媒体をページ毎に読取った後、画像データへ変換する入力手段と、前記入力手段によって変換された画像データに文字修飾がされた文字列を記憶する隠蔽候補情報記憶手段と、前記隠蔽候補情報記憶手段によって記憶した文字列に一致する前記入力手段によって入力した画像データに含まれる文字列を検索する検索手段と、前記検索手段によって検索した文字列を隠蔽して前記画像データを確定済画像データとして生成する画像データ生成手段と、前記確定済み画像データを表示する表示手段と、して機能させること特徴とするプログラムである。
【手続補正７】
【補正対象書類名】明細書
【補正対象項目名】００１６
【補正方法】変更
【補正の内容】
【００１６】
前述した目的を達成するための第四の発明は、第三の発明に記載されたプログラムを記録したコンピュータ読取り可能な記録媒体である。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】